(57)【要約】  【課題】低コストで、洗浄による循環経路の帯電を防止することができ、種々の形態の装置に対応できるインクジェット記録装置を提供すること。  【解決手段】帯電した色材粒子を含むインクに静電力を作用させて、インク液滴を吐出させる吐出ヘッドと、吐出ヘッドに供給するインクが貯留されるインクタンクと、吐出ヘッドとインクタンクとの間でインクを循環させる循環経路と、吐出ヘッドおよび循環経路を洗浄する洗浄機構とを有し、洗浄機構が洗浄時に循環経路に循環させる洗浄液を、インク分散媒に荷電制御剤を添加した液とすることを特徴とするインクジェット記録装置。【選択図】図１
2006150925.tif 000002
【特許請求の範囲】
【請求項１】
帯電した色材粒子を含むインクに静電力を作用させることにより、記録媒体に向けてインク液滴を吐出させるインクジェット記録装置であって、
帯電した色材粒子を含むインクに静電力を作用させて、インク液滴を吐出させる吐出ヘッドと、
前記吐出ヘッドに供給するインクが貯留されるインクタンクと、
前記吐出ヘッドと前記インクタンクとの間でインクを循環させる循環経路と、
前記吐出ヘッドおよび循環経路を洗浄する洗浄機構とを有し、
前記洗浄機構が洗浄時に前記循環経路に循環させる洗浄液を、インク分散媒に荷電制御剤を添加した液とすることを特徴とするインクジェット記録装置。
【請求項２】
前記洗浄液の電気伝導度は、前記インクの電気伝導度の３０％以上である請求項１に記載のインクジェット記録装置。
【請求項３】
前記洗浄機構は、前記洗浄液を貯留する洗浄液タンクと、前記洗浄液タンクと接続し、前記荷電制御剤を前記洗浄液タンクに供給する荷電制御剤タンクとを有する請求項１または２に記載のインクジェット記録装置。
【発明の詳細な説明】
【技術分野】
【０００１】
本発明は、インクを吐出するための吐出ヘッドを有するインクジェット記録装置に関し、更に詳細には、吐出ヘッドを洗浄するための洗浄系を有するインクジェット記録装置に関する。
【背景技術】
【０００２】
色材を含む微粒子をキャリア液に分散してなるインクに静電力を作用させて、インク液滴として吐出させて描画（画像記録）を行う、静電式のインクジェット記録装置が知られている。また、このような静電式のインクジェット記録装置の一種として、色材を含有し、かつ帯電した粒子をキャリア液に分散してなるインクを用い、静電力等による泳動で吐出部（ノズル）に色材粒子を移動して、インクを濃縮した状態でインク液滴を吐出する濃縮型の静電式インクジェット記録装置も知られている。
静電式のインクジェット記録装置では、通常、インクを貯留するメインのインクタンク（メインタンク）及び吐出ヘッドを含む所定のインク循環系でインクを循環することにより、吐出ヘッドにインクを供給して描画を行う。
【０００３】
このような静電式のインクジェット記録装置に限らず、インクを循環して吐出ヘッドにインクを供給するインクジェット記録装置では、循環を停止して放置すると、インク（キャリア液）が蒸発することにより、吐出口（ノズル）や循環系でインクが乾燥して固着し、目詰まりや循環不良等を起こしてしまう場合がある。
そのためインクジェット記録装置における、このような不都合を回避するために、各種の提案がされている。
【０００４】
例えば、特許文献１には、インク循環系と洗浄液循環系を具えるとともに、吐出ノズル側に、インクと洗浄液を切り替えて供給する三方電磁弁と、不要粒子をガターで捕捉する側にインク洗浄液を切り替えて分別回収する三方電磁弁とを設け、供給側の三方電磁弁の切り替え指令に対して、回収側の三方電磁弁の洗浄側ソレノイドを遅延駆動させて、インクタンクへの洗浄廃液の混入を防止させたインクジェットプリンタが開示されている。
【０００５】
また、特許文献２には、装置本体内に設けたインク容器と溶剤容器に保持したインクと溶剤をインク噴出チューブと溶剤チューブによってそれぞれ印字ヘッド内に導き、この印字ヘッド内に設けた制御弁によってインクと溶剤を選択的にノズルに供給して印字または洗浄を行うインクジェット記録装置において、ノズルにおけるインク噴出口の内側に位置するインク室を循環チューブによって装置本体内にインク容器を接続して循環通路を形成し、洗浄時には前記制御弁によってノズルのインク室に溶剤を供給し、該インク室内のインクをインク噴出口から噴出させてインク室内の一部を前記循環経路に流すようにしたインクジェット記録装置が開示されている。
【０００６】
【特許文献１】特開２００２−１９８９号公報
【特許文献２】特許第３２８６２０９号公報
【発明の開示】
【発明が解決しようとする課題】
【０００７】
ここで、洗浄に用いられる洗浄液は、インクへのコンタミネーションを考慮して、従来からインクの分散媒を使用している。しかし、分散媒に用いる溶剤は固有抵抗値が高く、洗浄液循環時に循環経路中の絶縁物（樹脂あるいはゴム製のチューブ）が洗浄液との摩擦によって帯電してしまう。このように、洗浄液循環時に循環経路が帯電すると、洗浄後に循環経路に循環させたインクの帯電量が変化するという問題がある。
特に、静電力を作用させることでインクを吐出する静電式のインクジェット記録装置では、インクの帯電量が不安定になると、インクジェットヘッドでの吐出特性が安定せず、画像の再現性が悪くなるという問題がある。
【０００８】
このような循環経路の帯電を防止する方法としては、循環経路の配管を導電性のチューブすることが挙げられる。しかしながら、導電性チューブは、テフロン（登録商標）ＰＦＡチューブに比べて２倍のコストがかかるため装置コストが高くなるという問題がある。
また、循環経路の配管を全て金属性の配管にすることによっても防止することができるが、ヘッド走査型等のヘッドや循環経路が固定されない形状の場合には、配管はフレキシブルチューブである必要があり、使用することができない。
【０００９】
そこで、本発明の目的は、上記課題を解決し、低コストで、洗浄による循環経路の帯電を防止することができ、種々の形態に対応できるインクジェット記録装置を提供することにある。
【課題を解決するための手段】
【００１０】
上記目的を達成するために、本発明は、帯電した色材粒子を含むインクに静電力を作用させることにより、記録媒体に向けてインク液滴を吐出させるインクジェット記録装置であって、帯電した色材粒子を含むインクに静電力を作用させて、インク液滴を吐出させる吐出ヘッドと、前記吐出ヘッドに供給するインクが貯留されるインクタンクと、前記吐出ヘッドと前記インクタンクとの間でインクを循環させる循環経路と、前記吐出ヘッドおよび循環経路を洗浄する洗浄機構とを有し、前記洗浄機構が洗浄時に前記循環経路に循環させる洗浄液を、インク分散媒に荷電制御剤を添加した液とすることを特徴とするインクジェット記録装置を提供するものである。
【００１１】
ここで、前記洗浄液の電気伝導度は、前記インクの電気伝導度の３０％以上であることが好ましい。
また、前記洗浄機構は、前記洗浄液を貯留する洗浄液タンクと、前記洗浄液タンクと接続し、前記荷電制御剤を前記洗浄液タンクに供給する荷電制御剤タンクとを有することが好ましい。
【発明の効果】
【００１２】
本発明では、インク分散媒に荷電制御剤を添加した液体を洗浄液として用いることにより、洗浄による循環経路の摩擦帯電を防止することができ、洗浄後に循環経路に供給されるインクの電気伝導度が変動することなく、安定する。これにより、画像記録時のインク吐出も安定し、画像再現性の高い画像を形成することができる。
【発明を実施するための最良の形態】
【００１３】
以下、本発明のインクジェット記録装置について、添付の図面に示される好適実施例を基に、詳細に説明する。
【００１４】
図１に、本発明のインクジェット記録装置のインク循環系の一構成例を概念的に示す。
図１に示したインクジェット記録装置（以下、記録装置１０という）１０は、色材を含む帯電した微粒子（以下、色材粒子とする）を絶縁性のキャリア液（分散媒）に分散してなるインクＱを用い、このインクに静電力を作用させることによりインク液滴を吐出する静電式のインクジェット記録装置である。記録装置１０は、図１に示すように、基本的に、吐出ヘッド（インクジェット記録ヘッド）１２、メインタンク１４、インク循環経路１５、洗浄液タンク２２、インク補充部２３を有する。
【００１５】
記録装置１０のインク循環経路１５は、主に、メインタンク１４のインクＱを吐出ヘッド１２に供給するインク供給系と、吐出ヘッド１２から吐出されなかったインクＱを回収するインク回収系とから構成される。インク供給系は、メインタンク１４内に配置されたインク循環ポンプ５４、供給サブタンク１６、インク循環ポンプ５４と供給サブタンク１６とを接続する第１供給流路３０、供給サブタンク１６と吐出ヘッド１２のインク流入口１２ａとを接続する第２供給流路３２、及び、供給サブタンク１６内のオーバーフロー管１６ｂからオーバーフローしたインクＱを回収する第３回収流路３７から主に構成される。また、インク回収系は、回収サブタンク１８、吐出ヘッド１２のインク排出口１２ｂと回収サブタンク１８とを接続する第１回収流路３４、回収サブタンク１８内のオーバーフロー管１８ｂからオーバーフローしたインクを回収する第２回収流路３６、及び、メインタンク１４に接続された共通回収流路５２から主に構成される。供給流路や回収流路は、例えば、パイプや可撓性を有するチューブなどから構成することができる。
【００１６】
図１において、洗浄液タンク２２は、洗浄液供給流路４０を介して第１供給流路３０と接続され、洗浄液供給流路４０と第１供給流路３０との接続部には切替弁４２が設けられている。切換弁４２は、供給サブタンク１６に送液する液体を、メインタンク１４側と洗浄液タンク２２側のどちらか一方からの供給に切り替えることができる。また、洗浄液供給流路４０は、洗浄液タンク２２内に配置された洗浄液循環ポンプ５６と接続している。
また、回収サブタンク１８の底面には排液流路４４が接続されており、排液流路４４の一方の端部は共通回収流路５２と接続されている。排液流路４４の途中に、開閉弁４６が設けられている。
また、共通回収流路５２には切換弁３８が設けられており、切換弁３８は、更に、洗浄液タンク２２と接続される洗浄液回収流路４８と接続されている。切換弁３８は、第２回収流路３６、第３回収流路３７および廃液流路４４から共通回収流路５２に送出される液体を、メインタンク１４側と洗浄液タンク２２側のどちらか一方に送出するように切り替えることができる。
【００１７】
なお、図１は、前述したように、インク循環系の一構成例であり、本発明の記録装置１０は、図に示したインク循環系以外にも、例えば、吐出ヘッド１２を駆動してインク液滴を吐出させるドライバ、吐出ヘッド１２と対面する所定の経路で、後述するノズル列方向（行方向）と直交する方向に記録媒体Ｐを搬送（走査搬送）する走査搬送手段、吐出ヘッド１２による画像記録に先立って記録媒体Ｐに所定のバイアス電圧を帯電させる帯電手段（あるいは吐出ヘッド１２の制御電極に対する対向電極）、帯電した記録媒体Ｐを除電する除電手段、所定の経路で記録媒体Ｐを搬送する搬送手段、搬送される記録媒体Ｐを検出するセンサ、装置内に滞留するキャリア液等を排出する溶媒排出手段など、公知の静電式のインクジェット記録装置が有する各種の構成要素を有しているのは、もちろんのことである。
【００１８】
また、本発明のインクジェット記録装置は、Ｋ（黒）のみなどの１色の画像記録を行うモノクロの記録装置であってもよく、また、Ｙ（イエロー）、Ｍ（マゼンタ）、Ｃ（シアン）、およびＫの４色のインクを用いて、記録媒体にフルカラー画像を描画する記録装置であってもよい。
また、吐出ヘッドは静電式のインクジェットヘッドに限定されず、サーマルインクジェットヘッド、ピエゾ素子やマイクロマシン等によってインク室の振動板を振動させることによりインクを吐出させるいわゆるピエゾタイプのインクジェットヘッド等、各種のインクジェットヘッドを利用可能である。本発明の記録装置は、各種のインクジェットヘッドの中でも特に静電式のインクジェットヘッドを利用することが好ましい。
【００１９】
また、図に示した記録装置１０は、メインタンク１４と、供給サブタンク１６、および回収サブタンク１８、ならびに、これらを接続する各流路で構成されるインク循環経路１５とを有し、このインク循環経路１５によってインクＱを循環することにより、吐出ヘッド１２にインクを供給する静圧式のインクジェット記録装置である。しかしながら、本発明は、このような静圧式のインクジェット記録装置に限定されず、例えば、吐出ヘッド内にインクを溜めておくためのインク溜を有し、このインク溜に、ポンプなどを用いて直接インクを供給してインクを循環させるようなポンプ式のインク循環系を有するインクジェット記録装置であってもよい。
【００２０】
メインタンク１４は、記録装置１０のインク循環経路１５を循環するインクを主に貯留するための密閉型のインクタンクである。メインタンク１４は、色材粒子の沈降／堆積を防止するための撹拌手段や、インク吐出の安定性を向上するための温度調節手段を有するのが好ましい。
メインタンク１４内には、第１供給流路３０から供給サブタンク１６にインクＱを送液するためのインク循環ポンプ５４が配置される。インク循環ポンプ５４による送液量は、供給サブタンク１６から吐出ヘッド１２へのインクＱ供給量よりも多く設定される。
【００２１】
図に示すように、供給サブタンク１６には、第１供給流路３０および第２供給流路３２が接続され、鉛直方向において吐出ヘッド１２よりも上方に配置される。供給サブタンク１６の上面には大気と連通した連通口１６ａが形成されており、これにより、供給サブタンク１６内を大気圧環境としている。供給サブタンク１６に接続された第２供給流路３２の他端は、吐出ヘッド１２のインク流入口１２ａに接続されている。
供給サブタンク１６には、第１供給流路３０によってメインタンク１４から供給されたインクＱが貯留され、貯留されたインクＱは第２供給流路３２を介して吐出ヘッド１２に供給される。
【００２２】
また、供給サブタンク１６内には、第３回収流路３７に接続するオーバーフロー管１６ｂが配置され、かつ、第２供給流路３２はオーバーフロー管１６ｂの上端よりも下方に接続される。図示例では、第２供給流路３２との接続部を供給サブタンク１６の底面に設けた構成としている。
【００２３】
供給サブタンク１６に貯留されたインクは、供給サブタンク１６内のインク液面と回収サブタンク１８内のインク液面の高低差により生じる水頭圧（圧力ヘッド）で、重力落下によって第２供給流路３２から吐出ヘッド１２に供給され、更に第１回収路３４を介して回収サブタンク１８に貯留される。したがって、吐出ヘッド１２に供給されるインク流量は、吐出ヘッド１２に接続される供給サブタンク１６と回収サブタンク１８の２つのサブタンクのインク液面に基づく圧力ヘッドによって決定され、それらサブタンクの中間に位置する吐出ヘッドの高さによって吐出ヘッドの内圧（メニスカスの高さ）が決定される。
また、供給サブタンク１６では、インク循環ポンプ５４により供給されたインクがオーバーフロー管１６ｂの高さを超えても、オーバーフロー管１６ｂからオーバーフローして排出されるので、タンク内の液面の高さは一定に保たれる。その結果、供給サブタンク１６から吐出ヘッド１２へのインクＱの供給量および供給圧（圧力ヘッド）は一定に保たれ、いわゆる静圧系でのインク供給が行われる。
なお、オーバーフロー管１６ｂから排出されたインクＱは、第３回収流路３７から共通回収流路５２、切換弁３８を経て、メインタンク１４に戻され、再度、循環に供される。
【００２４】
回収サブタンク１８は、第１回収流路３４および第２回収流路３６に接続されるインクタンクであり、吐出ヘッド１２よりも鉛直方向において下方に配置される。回収サブタンク１８の上面には、図に示すように、大気と連通する連通口１８ａが形成されており、これにより回収サブタンク１８の内部を大気圧環境としている。前述のように、第１回収流路３４の他端は、吐出ヘッド１２のインク排出口１２ｂに、第２回収流路３６の他端はメインタンク１４に、それぞれ接続される。
回収サブタンク１８には、吐出ヘッド１２から吐出されなかったインクＱが第１回収流路３４を通じて貯留される。回収サブタンク１８に貯留されたインクＱは第２回収流路３６からメインタンク１４に戻される。
【００２５】
吐出ヘッド１２から吐出されずに吐出ヘッド１２のインク排出口１２ｂから排出されたインクＱは、供給サブタンク１６内のインク液面と回収サブタンク１８内のインク液面の高低差により生じる圧力ヘッドで、重力落下によって第１回収流路３４から回収サブタンク１８に供給される。回収サブタンク１８において、オーバーフロー管１８ｂを超えたインクＱは、第２回収流路３６から、共通回収流路５２、切換弁３８を通ってメインタンク１４に戻されて、再度、循環に供される。
また、回収サブタンク１８のインク液面は、オーバーフロー管１８ｂによって一定に保たれる。これにより、吐出ヘッド１２からのインク流入にも、回収サブタンク１８の液面の高さに応じた一定の圧量がかかる。すなわち、吐出ヘッド１２の排出口１２ｂに、一定の静圧をかけることができる。
【００２６】
記録装置１０においては、このようにして、一定の圧力ヘッドで供給サブタンク１６から吐出ヘッド１２へインク供給するとともに、吐出ヘッド１２から回収サブタンク１８へのインク供給にも一定の圧力をかける。これにより、吐出ヘッド１２の内部に形成されたインク流路に係る圧力、すなわち吐出ヘッド１２へのインク供給および排出を完全に静圧にすることができ、後述する吐出ヘッド１２の吐出口に形成されるインクＱのメニスカス等を安定させることができる。
【００２７】
本発明の記録装置１０においては、供給サブタンク１６および／または回収サブタンク１８の高さを、適宜、設定することにより、吐出ヘッドの吐出口に形成されるインクＱのメニスカスの高さを、高い自由度で選択することも可能である。従って、前記メニスカスの状態や高さをコントロール可能にするために、供給サブタンク１６および／または回収サブタンク１８の高さを調節するための高さ調節手段を有することが好ましい。
なお、高さ調節手段は、互いに螺合するネジ軸とナットによる方法、シリンダやアクチュエータを用いる方法、カムを用いる方法等、鉛直方向の高さ調整が可能な各種の方法が利用可能である。
【００２８】
洗浄液タンク２２は、インク循環系や吐出ヘッドを洗浄するための洗浄液を貯留するためのタンクであり、洗浄液供給流路４０および洗浄液回収流路４８と接続されている。洗浄液供給流路４０の他端は切換弁４２を介して第１供給流路３０と接続されている。また、洗浄液供給流路４０の途中には洗浄液循環ポンプ５６が設けられている。洗浄液循環ポンプ５６を駆動し、切換弁４２を開放することで、洗浄液タンク２０内の洗浄液を供給サブタンク１６に供給することができる。
【００２９】
ここで、記録装置１０の運転時（記録時）のインク循環系の動作について説明する。まず、インク循環ポンプ５４によって、メインタンク１４から第１供給流路３０を通じて供給サブタンク１６にインクが送液され、供給サブタンク１６にインクが貯留される。ここで、切換弁３８は、洗浄液タンク２２側を閉塞し、メインタンク１４側を開放しているため、インクは洗浄液タンク２２側に流入することはない。供給サブタンク１６に貯留されたインクＱは、供給サブタンク１６と吐出ヘッド１２の落差のために、第２供給流路３２を通じて吐出ヘッド１２のインク流入口１２ａに流入される。吐出ヘッド１２において吐出に寄与しなかったインクＱは、吐出ヘッド１２と回収サブタンク１８との落差のために、第１回収流路３４を通じて回収サブタンク１８に供給される。ここで、切換弁３８のメインタンク１４側を開放し、洗浄液タンク２２側を閉塞しておくことにより、回収サブタンク１８をオーバーフローしたインクＱは、第２回収流路３６、共通回収流路５２、切換弁３８を通じてメインタンク１４に戻される。こうして、メインタンク１４、供給サブタンク１６、吐出ヘッド１２、回収サブタンク１８をインクＱが循環する。供給サブタンク１６と回収サブタンク１８にそれぞれ形成された連通口１６ａ及び１８ａにより大気開放されているので、供給サブタンク１６内のインクＱは、回収サブタンク１８まで自然に流れる。
なお、供給サブタンク３７をオーバーフローしたインクＱは、第３回収流路３７、共通回収流路５２、切換弁３８を介してメインタンク１４に戻される。
【００３０】
つぎに、記録装置１０の洗浄時の動作について説明する。
まず、インク循環ポンプ５４を停止して、供給サブタンク１６へのインクＱの供給を停止する。そして、インク循環系内からすべてのインクを排出する。回収サブタンク１８に接続されている排液流路４４上の開閉弁４６を開放すると、回収サブタンク１８に貯留されているインクが、排液流路４４、共通回収流路５２、切換弁３８を通じてメインタンク１４に回収される。また、供給サブタンク１６に貯留されているインクＱは、吐出ヘッド１２を介して回収サブタンク１８に流入した後、上述と同様に、排液流路４４、共通回収流路５２、切換弁３８を通じてメインタンク１４に回収される。こうして、インク循環系内のすべてのインクがメインタンク１４に回収される。
【００３１】
次いで、切換弁３８のメインタンク１４側を閉塞し、洗浄液タンク２２側を開放する。更に、開閉弁４６を閉塞する。そして、洗浄液供給流路４０上に設けられている開閉弁４２を開放し、洗浄液循環ポンプ５６によって、洗浄液を供給サブタンク１６に供給する。供給サブタンク１６に供給された洗浄液は、第２供給流路４０を介して吐出ヘッド１２の流入口１２ａに一定の圧力で流入されるとともに、オーバーフロー管１６ｂの高さになるまで供給サブタンク１６内に貯留される。オーバーフロー管１６ｂの高さを超えて、オーバーフロー管１６ｂから流出した洗浄液は、第３回収流路３７、共通回収流路５２、切換弁３８、洗浄液回収流路４８を介して、洗浄液タンク２２に回収される。
【００３２】
一方、第２供給流路３２を通じて吐出ヘッド１２の流入口１２ａに流入した洗浄液は、吐出ヘッド１２の内部のインク流路を通過した後、吐出ヘッド１２の排出口１２ｂから排出される。吐出ヘッド１２の排出口１２ｂから排出された洗浄液は、第１回収流路３４を介して回収サブタンク１８に流入した後、回収サブタンク１８に貯留される。回収サブタンク１８に貯留された洗浄液は、回収サブタンク１８内のオーバーフロー管１８ｂから共通回収流路５２及び切換弁３８を経た後、洗浄液タンク２２に回収される。こうして、吐出ヘッド１２及びインク循環経路１５に付着しているインクを洗浄液により除去する。
【００３３】
上述したような洗浄動作を終えた後、洗浄液をインク循環系内から排出する場合は、洗浄液循環ポンプ５６を停止し、洗浄液の供給を停止する。そして、前述したインクの排液の場合と異なり、切換弁３８のメインタンク１４側を閉塞状態とし、洗浄液タンク２２側を開放状態としたまま、開閉弁４６を開放する。これにより、供給サブタンク１６及び回収サブタンク１８に貯留されている洗浄液が、排液流路４４から共通回収流路５２、切換弁３８、洗浄液回収流路４８を経て洗浄液タンク２２に排出される。
このように、洗浄液を循環させることで、吐出ヘッドおよびインク循環経路を洗浄する。
【００３４】
ここで、上述したように、洗浄動作時に洗浄液と循環経路との間で発生する摩擦によって、循環経路が帯電することが問題となる。
本発明者らは、この点について鋭意検討した結果、洗浄に使用する洗浄液によって帯電を防止することができることを見出した。具体的には、インク分散媒に荷電制御剤を添加した液体を洗浄液として用いることで循環経路の帯電を防止することができる。
【００３５】
本発明の記録装置に用いられる洗浄液について説明する。
洗浄液は、上記のように、インク分散媒に荷電制御剤を添加することにより得られる。
本発明の洗浄液に用いることのできるインク分散媒は、インクに用いることのできる種々の誘電性液体が例示され、好ましくは直鎖状もしくは分岐状の脂肪族炭化水素、脂環式炭化水素、または芳香族炭化水素、および、これらの炭化水素のハロゲン置換体がある。例えば、へキサン、ヘプタン、オクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、アイソパーＣ、アイソパーＥ、アイソパーＧ、アイソパーＨ、アイソパーＬ、アイソパーＭ（アイソパー：エクソン社の商品名）、シェルゾール７０、シェルゾール７１（シェルゾール：シェルオイル社の商品名）、アムスコＯＭＳ、アムスコ４６０溶剤（アムスコ：スピリッツ社の商品名）、シリコーンオイル（例えば、信越シリコーン社製ＫＦ−９６Ｌ）等を単独あるいは混合して用いることができる。
【００３６】
さらに、本発明に使用できる荷電制御剤としては、従来、公知のものを使用することができる。例えばナフテン酸、オクテン酸、オレイン酸、スレアリン酸等の脂肪酸の金属塩、スルホコハク酸エステルの金属塩、特公昭４５−５５６号、特開昭５２−３７４３５号、特開昭５２−３７０４９号の各公報等に示されている油溶性スルホン酸金属塩、特公昭４５−９５９４号公報に示されているリン酸エステル金属塩、特公昭４８−２５６６６号公報に示されているアビエチン酸もしくは水素添加アビエチン酸の金属塩、特公昭５５−２６２０号公報に示されているアルキルベンゼンスルホン酸Ｃａ塩類、特開昭５２−１０７８３７号、同５２−３８９３７号、同５７−９０６４３号、同５７−１３９７５３号の各公報に示されている芳香族カルボン酸あるいはスルホン酸の金属塩類、ポリオキシエチル化アルキルアミンのような非イオン性界面活性剤、レシチル、アマニ油等の油脂類、ポリビニルピロリドン、多価アルコールの有機酸エステル、特開昭５７−２１０３４５号公報に示されているリン酸エステル系界面活性剤、特公昭５６−２４９４４号公報に示されているスルホン酸樹脂等を使用することができる。また特開昭６０−２１０５６号、同６１−５０９５１号の各公報に記載されたアミノ酸誘導体も使用することができる。また特開昭６０−１７３５５８号、同６０−１７９７５９号の各公報に記載されているマレイン酸ハーフアミド成分を含む共重合体等が挙げられる。さらに特開昭５４−３１７３９号、特公昭５６−２４９４４号の各公報等に示されている４級化アミンポリマーを挙げることができる。これらの内で好ましいものとしては、ナフテン酸の金属塩、ジオクチルスルホコハク酸の金属塩、前記マレイン酸ハーフアミド成分を含む共重合体、レシチン、前記アミノ酸誘導体を挙げることができる。
これらの荷電制御剤としては、２種以上の化合物を併用することも可能である。上述の様な荷電制御剤の濃度は、溶液の総量に対して０．０００１〜２．０重量％の範囲であることが好ましく、０．００１〜０．１重量％の範囲であることがより好ましい。
【００３７】
このように、インク循環経路およびインクジェットヘッドを洗浄する際に、インク分散媒に荷電制御剤を添加した液体を洗浄液として用いることにより、循環経路の摩擦帯電を防止することができ、洗浄後に循環経路に供給されるインクの電気伝導度が変動することなく、安定する。これにより、画像記録時にインク液滴を安定して吐出させることができ、画像再現性の高い画像を形成することができる。また、インクに使用されるインク分散媒および荷電調整剤を使用することで、コンタミネーションの影響を防止することもできる。
【００３８】
ここで、洗浄液の電気伝導度は、インクの電気伝導度の１％以上であることが好ましく、インクの電気伝導度の１０％以上がより好ましく、インクの電気伝導度の３０％以上とすることがより一層好ましく、７０％以上とすることがさらに好ましい。このように、洗浄液の電気伝導度を３０％以上とすることで、インクの電気伝導度への影響を好適に防止することができ、洗浄液の電気伝導度を更に高めることで、その影響をより一層効果的に防止することができる。
【００３９】
記録装置１０は、好ましい形態として、インク補充部２３を有する。
インク補充部２３は、消費したインクＱをメインタンク１６に補充するものであり、基本的にコンク液補充タンク２４と、希釈液補充タンク２６と補充用流路６０、６４と、補充制御用開閉弁６２、６６とを有する。
コンク液補充タンク２４は、コンクインク（高濃度インク＝色材粒子の量が多いインク）を充填する密閉型のタンクであり、補充用流路６０によってメインタンク１６と接続される。
他方、希釈液補充タンク２４は、インクＱを補充する際のインクの希釈液として用いるキャリア液を充填する密閉型のタンクであり、補充用流路６４によってメインタンク１６と接続される。
ここで、補充用流路６０および６４には、それぞれ補充制御用開閉弁６２および６６が配置され、この補充制御用開閉弁６２および６６を必要に応じて開閉させることで、所定量のコンクインク、希釈液をメインタンク１６に補充する。
このようにコンクインク、希釈液をメインタンクに補充することで、メインタンクを所定濃度かつ所定量とすることができる。
なお、本発明においては、コンクインクの濃度には、特に限定はなく、また、補充用の所定濃度のインクとして前記インクＱの目的濃度と同濃度のインクを用いてもよく、さらに、互いに濃度の異なる複数の所定濃度のインクをコンクインクおよび希釈液として用いて補充を行ってもよい。
【００４０】
記録装置１０において、インクＱの補充タイミングには、特に限定はない。例えば、所定枚数の描画毎、所定時間毎等に自動的に行ってもよく、メインタンク１６内のインクＱの量を検出して自動的に行ってもよく、描画した画像を観察したオペレータ等の判断による入力指示に応じて行ってもよく、複数のタイミング決定手段を有し、選択的に行ってもよい。
また、コンクインクおよび希釈液の補充量の決定方法にも、特に限定はない。例えば、インク予想蒸発量に加え、画像データ等から知見した総インク吐出回数、循環しているインクの濃度測定結果、メインタンク１６内のインク量などを用いて、インクＱの消費量を予測し、メインタンク１６内のインクＱが所定濃度で所定量となるように、インクの補充量を決定すればよい。
【００４１】
図２は、本発明のインクジェット記録装置の他の一例の概略構成を示す模式的断面図である。なお、図２に示したインクジェット記録装置６８（単に、記録装置６８ともいう）は、荷電制御剤補充タンク６９を有することを除いて、図１に示した記録装置１０と同じ構成、形状なので、同じ部材には同じ符号を付し、以下の説明は、異なる点を主に行う。
【００４２】
記録装置６８に備えられた荷電制御剤補充タンク６９は、洗浄液タンク２２と接続され、荷電制御剤が貯留されている。
荷電制御剤補充タンク６９は、洗浄液タンク２２内の洗浄液が所望の電気伝導度となるように洗浄液タンク２２に必要に応じて、所定量の荷電制御剤を補充する。
このように荷電制御剤補充タンクを備えることで、洗浄液を種々の電気伝導度に調整することができ、使用することで洗浄液の電気伝導度が変化しても調整することができる。
【００４３】
ここで、荷電制御剤補充タンク２９において、荷電制御剤の補充タイミングには、特に限定はない。例えば、所定回数の洗浄後毎等に自動的に行ってもよく、洗浄液タンク２２内の洗浄液の電気伝導度を検出するための検出器を設けて、検出器によって検出される電気伝導度の値に基づいて自動的に行ってもよい。また、複数のタイミング決定手段を設けて、選択的に行ってもよい。また、荷電制御剤の補充量の決定方法にも、特に限定はない。
【００４４】
つぎに、吐出ヘッド１２の構造について図３〜５を参照して詳細に説明する。
吐出ヘッド１２は、前述のようなインクに静電力を作用させてインク液滴として吐出する静電式のインクジェットヘッドである。
図示例において、吐出ヘッド１２は、対応する記録媒体の幅（走査搬送方向と直交する方向のサイズ）に対して、全域に対応する吐出部の列（いわゆるノズル列）を有する、いわゆるラインヘッドであって、吐出部の列（後述する行方向）を記録媒体Ｐの幅方向に一致して、記録媒体の搬送方向（後述する列方向）に配列される。
なお、本発明のインクジェット記録装置は、このようなラインヘッドを用いるものに限定はされず、記録媒体Ｐを断続的に搬送しつつ、この搬送に同期して、記録ヘッドを搬送方向と直交方向する方向に走査する、いわゆるシャトルタイプの記録ヘッドを用いるインクジェット記録装置であってもよい。
【００４５】
図３に、吐出ヘッド１２の概念図を示す。なお、図３において、（Ａ）は一部断面斜視図を、（Ｂ）は断面図を、それぞれ示している。
記録装置１０においては、負の高電圧に帯電（バイアス電圧を帯電）された記録媒体Ｐを吐出部の配列方向（後述する行方向）と直交する方向に走査搬送しつつ、記録画像すなわち供給された画像データに応じて吐出ヘッド１２の各吐出部を変調駆動して吐出をｏｎ／ｏｆｆすることにより、インク液滴Ｒをオンデマンドで吐出して、記録媒体Ｐに目的とする画像を記録する。
【００４６】
なお、吐出ヘッド１２は、前述のように、記録媒体Ｐの幅に対応する吐出口の列を有するラインヘッドであり、図４に概念的に示すように、多数の吐出部を二次元的に配置したマルチチャンネル構造のインクジェットヘッドであるが、図３においては、構造を明瞭に示すために、吐出部の一部のみを示す。
【００４７】
吐出ヘッド１２は、色材粒子（色材を含み、かつ帯電した微粒子）をキャリア液に分散してなるインクＱに、静電力を作用させてインク液滴Ｒとして吐出する静電式のインクジェットヘッドで、ヘッド基板７２と、吐出基板７４と、インクガイド７６とを備えている。
吐出ヘッド１２において、ヘッド基板７２と吐出基板７４は、互いに対面して所定の間隔離間して配置され、その間に、各吐出口９６にインクＱを供給するためのインク流路７８が形成される。インクＱは、前記インク循環系によってインク流路７８を含む所定の経路で循環され、記録時には、インク流路７８内を所定方向に所定の速度（例えば、２００ｍｍ／ｓのインク流）で、例えば、図中矢印方向に流される。
【００４８】
ヘッド基板７２は、すべての吐出部に共通なシート状の絶縁性基板であり、その表面には、電気的にフローティング状態である浮遊導電板８０が設けられている。
浮遊導電板８０には、画像の記録時に、後述する第１制御電極８２および第２制御電極８４に印加される駆動電圧に応じて誘起される誘導電圧が発生する。また、誘導電圧の電圧値は稼動チャンネル数に応じて自動的に変化する。この誘導電圧により、インク流路７８内のインクＱに含まれる色材粒子は付勢されて吐出基板７４側に泳動し、すなわち、後述する吐出口９６のインクＱの濃縮が、より好適に行われる。
【００４９】
なお、浮遊導電板８０は必須の構成要素ではなく、必要に応じて適宜設けるのが好ましい。また、浮遊導電板８０は、インク流路７８よりもヘッド基板７２側に配置されていればよく、例えばヘッド基板７２の内部に配置してもよい。また、浮遊導電板８０は、吐出部が配置される位置よりもインク流路７８の上流側に配置される方が好ましい。また、浮遊導電板８０に所定の電圧を印加するようにしても良い。
【００５０】
他方、吐出基板７４は、ヘッド基板７２と同様に全ての吐出部に共通なシート状の絶縁性基板であり、絶縁性基板８６と、第１制御電極８２と、第２制御電極８４と、ガード電極８８と、絶縁層９０，９２および９４とを備えている。また、吐出基板７４には、各インクガイド７６に対応する位置に、インクの吐出口９６が貫通して開口しており、インクガイドの先端部分９８を吐出基板７４の表面から突出してインクガイド７６が挿通している。前述のように、ヘッド基板７２と吐出基板７４とは離間して配置され、その間にインク流路７８が形成される。
吐出ヘッド１２においては、互いに対応する第１制御電極８２、第２制御電極８４、吐出口９６、およびインクガイド７６等によって、１つのインクの吐出部が構成される。
【００５１】
第１制御電極８２および第２制御電極８４は、それぞれ絶縁性基板８６の図中上面および下面の表面に、各々に対応する吐出口９６の周囲を囲むようにリング状に設けられた円形電極である（図４および図５参照）。絶縁性基板８６および第１制御電極８２の表面には、その表面を保護するとともに平坦化する絶縁層９２が被覆され、同様に、絶縁性基板８６および第２制御電極８４の表面には、その表面を平坦化するための絶縁層９０が被覆されている。さらに、絶縁層９２の上には、ガード電極８８が形成され、ガード電極８８および絶縁層９２の上には、その表面を平坦化するための絶縁層９４が形成される。
なお、第１制御電極８２および第２制御電極８４はリング状の円形電極に限定されず、インクガイド７６に臨むように配置される電極であれば、例えば略円形電極、分割円形電極、平行電極、略平行電極など、どのような形状であっても良い。
【００５２】
図４および図５に示すように、吐出ヘッド１２において、インクガイド７６、第１制御電極８２および第２制御電極８４、吐出口９６等で構成される各吐出部は、マトリクス状に２次元的に配置されている。ここで、図４（Ａ）は、図３（Ａ）において、ガード電極８８を含み、絶縁性基板８６と平行な面で切断した場合の平面図である。また、図４（Ｂ）は、図３（Ａ）において、第１制御電極８２を含み、絶縁性基板８６と平行な面で切断した場合の平面図である。また、図４(Ｃ）は、図３（Ａ）において、第２制御電極８４を含み、絶縁性基板８６と平行な面で切断した場合の平面図である。
【００５３】
具体的には、吐出ヘッド１２は、図４（Ｂ）および（Ｃ）に示すように、行方向（図４横方向）に配列された吐出部の列を、列方向（走査搬送方向（図４縦方向））に３行（Ａ行、Ｂ行、Ｃ行）有する。なお、図４においては、行方向に５個（１列、２列、３列、４列、５列）の、計１５個のマトリクス状に配置された吐出部を示している。
吐出ヘッド１２は、ラインヘッドであり、この行方向に記録媒体Ｐのサイズ全域に対応する吐出部の列（ノズル列）を有している。従って、記録装置１０においては、記録媒体Ｐは行方向（吐出部（吐出口９６）の配列方向＝ノズル列方向）と直交する列方向に走査搬送されつつ、静電式インクジェットによって描画される。
各行の吐出部は、列方向に対して所定の間隔離間して配置される。また、各行は、吐出部を行方向に互いに１／３ピッチずらして、自身の吐出部が他行の吐出部の間（行方向の間）に位置するように配置される。
【００５４】
図４（Ａ）に示すように、ガード電極８８は、吐出口９６および制御電極に対応する領域が円形に開口するシート状の電極である。すなわち、ガード電極８８は、各制御電極の間に形成される。
また、図４（Ｂ）に示すように、同じ列に配置された吐出部の第１制御電極８２は、相互に接続され、かつ、図４（Ｃ）に示すように、同じ行に配置された吐出部の第２制御電極８４は、相互に接続されている。
さらに、図示は省略するが、第１制御電極８２および第２制御電極８４は、それぞれ、駆動電圧（パルス電圧）を印加して、各電極を変調駆動してインク液滴Ｒの吐出をｏｎ／ｏｆｆするための、パルス電源に接続されている。
【００５５】
画像の記録時には、同一列に配置された第１制御電極８２は同時かつ同一電圧レベルの駆動電圧が印加（ｏｎ）される。同様に、同一行に配置された第２制御電極８４は同時かつ同一電圧レベルに駆動電圧が印加（ｏｎ）される。
また、記録媒体Ｐに記録される１行は、列方向に対して、第２制御電極８４の行数に相当する３つのグループに分割され、Ａ行、Ｂ行およびＣ行の各行によって、時分割で順次記録される。
例えば、図４に示す例の場合、第２制御電極８４のＡ行目、Ｂ行目、Ｃ行目を所定のタイミングで順次ｏｎする。この駆動に対応して、第１制御電極８２を画像データ（記録画像）に応じて変調駆動（ｏｎ／ｏｆｆ）することにより、時分割した３回の記録によって、記録媒体Ｐ上に１行分の描画が行われる。前述のように、記録媒体Ｐは、列方向に搬送されるので、行方向（副走査方向）に、各行の有する記録密度（吐出部密度）の３倍の記録密度の描画を行うことができる。
【００５６】
なお、制御電極は、第１制御電極８２および第２制御電極８４の２層電極構造に限定されず、単層電極構造でもよいし、３層以上の電極構造としても良い。
【００５７】
先にも述べたが、ガード電極８８は、図４（Ａ）に示すように、各吐出口９６の周囲に形成された第１制御電極８２および第２制御電極８４に相当する部分がリング状に開口する、全ての吐出部に共通なシート状の電極である。すなわち、ガード電極８８は、各制御電極間に配置される電極である。絶縁層９２およびガード電極８８の表面には、その表面を保護するとともに、平坦化する絶縁層９４が被覆されている。
ガード電極８８には所定の電圧が印加されており、隣接する吐出部のインクガイド７６の間に生じる電界干渉を抑制する役割を果たす。
なお、ガード電極８８は必須の構成要素ではない。また、吐出基板７４には、第１制御電極８２または第２制御電極８４からのインク流路７８方向への反発電界を遮蔽するために、第２制御電極８４よりインク流路７８側にシールド電極を設けても良い。
【００５８】
インクガイド７６は、凸状の先端部分９８を持つ所定厚みのセラミック製平板である。図示例においては、同一行の吐出部のインクガイド７６は、ヘッド基板７２上の浮遊導電板８０の上に配置された同じ支持体の上に所定の間隔で配置される。インクガイド７６は、吐出基板７４に開孔された吐出口９６を貫通し、先端部分９８を吐出基板７４の記録媒体Ｐ側の最表面（絶縁層９４の図中上側の表面）よりも上部に突出している。
【００５９】
インクガイド７６の先端部分９８は、記録媒体Ｐの保持手段（図示しない）に向かって、漸次、細くなる略三角形状（ないしは台形状）に成形されている。
なお、先端部分９８（最先端部）は、金属が蒸着されているのが好ましい。この先端部分９８の金属蒸着は必須の要素ではないが、これにより、先端部分９８の誘電率が実質的に大きくなり、強電界を生じさせ易くできるという効果がある。
【００６０】
なお、インクガイド７６の形状は、インクＱ内の色材粒子を先端部分９８に向けて泳動（すなわちインクＱを濃縮）させることができれば、特に制限的ではなく、例えば先端部分９８は凸状でなくても良い等、自由に変更してもよい。また、インクの濃縮を促進するために、毛細管現象によってインクＱを先端部分９８に集めるインク案内溝となる切り欠きを、インクガイド７６の中央部分に図中上下方向に沿って形成しても良い。
【００６１】
前述のように、第２制御電極８４は、所定のタイミングで１行ずつ、順次、ｏｎ（駆動（高電圧レベル（例えば、４００〜６００Ｖ）またはハイインピーダンス状態））され、残りのすべての第２制御電極８４はｏｆｆ（非駆動（接地レベル（接地状態））にされる。また、第１制御電極８２は、すべての列が同時に、画像データ（記録画像）に応じて、列単位でｏｎ／ｏｆｆ（高電圧レベルまたは接地レベルに）される。これにより、各々の吐出部におけるインクの吐出／非吐出（インク吐出のｏｎ／ｏｆｆ）が制御される。
【００６２】
すなわち、第２制御電極８４がｏｎで、かつ第１制御電極８２がｏｎの場合にはインクＱがインク液滴Ｒとして吐出（吐出ｏｎ）され、第１制御電極８２および第２制御電極８４の少なくとも一方がｏｆｆの場合にはインクは吐出されない（吐出ｏｆｆ）。
そして、各々の吐出部から吐出されたインク液滴Ｒは、負のバイアス電圧を帯電された記録媒体Ｐに引き寄せられ、記録媒体Ｐの所定位置に付着して画像が形成される。
【００６３】
上記のように、下層の第２制御電極８４の行を順次ｏｎし、画像データに応じて上層の第１制御電極８２をｏｎ／ｏｆｆした場合、第１制御電極８２が画像データに応じてｏｎされるため、列方向のそれぞれの吐出部を中心として、その両側の吐出部では、第１制御電極８２が高電圧レベルまたは接地レベルに頻繁に変化する。この場合、画像の記録時にガード電極８８を所定のガード電位、例えば接地レベル等にバイアスすることにより、隣接する吐出部の電界の影響を排除することができる。
【００６４】
吐出ヘッド１２では、第１制御電極８２または第２制御電極８４の一方、または両方で、インク吐出のｏｎ／ｏｆｆの制御を行うかは何ら制限的ではない。すなわち、制御電極側のインクｏｎ／ｏｆｆの時の電圧値と記録媒体Ｐ側の電圧値との差分が所定値よりも大きい場合にはインクが吐出され、所定値よりも小さい場合にはインクが吐出されないように、制御電極側および記録媒体Ｐ側の電圧を適宜設定すればよい。
【００６５】
従って、吐出ヘッド１２においては、図示例とは逆、すなわち第１制御電極８２を１列毎に順次ｏｎし、画像データに応じて、第２制御電極８４をｏｎすることで、インク吐出をｏｎ／ｏｆｆすることも可能である。
この場合、列方向は第１制御電極８２の１列毎にｏｎされ、列方向のそれぞれの吐出部を中心として、その両側の列の吐出部の第１制御電極８２は常に接地レベルになるため、この両側の列の吐出部の第１制御電極２６がガード電極８８の役割を果たす。このように、上層の第１制御電極８２で各列を順次オンし、画像データに応じて下層の第２制御電極８４を駆動する場合には、ガード電極８８を設けなくても、隣接する吐出部の影響を排除し、記録品質を向上させることができる。
【００６６】
また、この態様では、インクＱ中の色材粒子を正帯電させ、記録媒体側を負の高電圧に帯電させているが、これに限定されず、逆に、インク中の色材粒子を負に帯電させ、記録媒体Ｐ側を正の高電圧に帯電させても良い。このように、色材粒子の極性を本態様と逆にする場合には、対向電極、記録媒体Ｐの帯電ユニット、各々の吐出部の第１制御電極８２および第２制御電極８４への印加電圧極性等を上記の例と逆にすれば良い。
【００６７】
前述のような色材粒子を含有するインクＱを用いる静電式のインクジェットにおいては、従来のインクジェット方式のように、インク全体に力を作用させて、インクを記録媒体に向けて飛翔させるのではなく、主に、キャリア液に分散させた固形成分である色材粒子に力を作用させて、インクを飛翔させる。以下、吐出ヘッド１２におけるインク液滴Ｒ吐出の作用を説明する。
なお、以下の例では、色材粒子は正荷電しており、従って、吐出ｏｎでは第１制御電極８２および第２制御電極８４には、正の駆動電圧が印加され、記録媒体Ｐには、負の高電圧（バイアス電圧）が帯電される。
【００６８】
画像の記録時には、インクＱは前述のインク循環系によって循環され、インク流路７８内を図中右側から左側（図３中矢印方向）に向かって所定の速度で流れる。
また、前述のように、記録媒体Ｐは、負の高電圧に帯電されて、吐出ヘッド１２に対面して走査搬送される。
記録媒体Ｐに帯電する負の高電圧は、静電式のインクジェットにおけるバイアス電圧として作用し、また、このバイアス電圧をする帯電された記録媒体Ｐは、吐出ヘッド１２の制御電極に対する対向電極として作用するのは、前述のとおりである。
【００６９】
記録媒体Ｐが所定の位置に搬送されると、吐出ヘッド１２には、記録媒体Ｐの搬送タイミングおよび画像データに応じて駆動信号が供給され、各吐出ヘッド１２は、これに応じて、各行の第２制御電極８４を順次駆動し、かつ、各列の第１制御電極８２を画像データに応じて変調駆動し、インク吐出を画像データに応じて変調してｏｎ／ｏｆｆする。
【００７０】
ここで、第１制御電極８２および第２制御電極８４の少なくとも一方がｏｆｆであり、すなわちバイアス電圧のみが印加されている状態では、インクＱには、バイアス電圧とインクＱの色材粒子（荷電粒子）の荷電とのクーロン引力、色材粒子間のクーロン反発力、キャリア液の粘性、表面張力、誘電分極力等が作用し、これらが連成して、色材粒子やキャリア液が移動し、図３（Ｂ）に概念的に示すように、吐出口９６から若干盛り上がったメニスカス状となってバランスが取れている。
また、このクーロン引力等によって、色材粒子は、いわゆる電気泳動でバイアス電圧が帯電された記録媒体Ｐに向かって移動する。すなわち、吐出口９６のメニスカスにおいては、インクＱが濃縮された状態となっている。
【００７１】
この状態から、インク液滴Ｒを吐出するための駆動電圧（パルス電圧）が印加される。すなわち、図示例においては、第１制御電極８２および第２制御電極８４の両方がｏｎされると、前記バイアス電圧に駆動電圧が重畳され、先の連成に、さらにこの駆動電圧の重畳によって連成された運動が起こり、静電力によって色材粒子およびキャリア液がバイアス電圧（対向電極）側すなわち記録媒体Ｐ側に引っ張られ、メニスカスが成長して、その上部から略円錐状のインク液柱いわゆるテーラーコーンが形成される。また、先と同様に、色材粒子は電気泳動によってメニスカスに移動しており、メニスカスのインクＱは濃縮され、色材粒子を多数有する、ほぼ均一な高濃度状態となっている。
【００７２】
駆動電圧の印加開始後、さらに有限な時間が経過すると、色材粒子の移動等により、電界強度の高いメニスカスの先端部分で、主に色材粒子とキャリア液の表面張力とのバランスが崩れ、メニスカスが急激に伸びて曳糸と呼ばれる直径数〜数十μｍ程度の細長いインク液柱が形成される。
さらに有限な時間が経過すると曳糸が成長し、この曳糸の成長、レイリー／ウエーバー不安定性によって発生する振動、メニスカス内における色材粒子の分布不均一、メニスカスにかかる静電界の分布不均一等の相互作用によって曳糸が分断され、インク液滴Ｒとなって吐出／飛翔し、かつ、バイアス電圧にも引っ張られて、記録媒体Ｐに着弾する。
曳糸の成長および分断は、さらにはメニスカス（曳糸）への色材粒子の移動は、駆動電圧の印加中は連続して発生する。また、駆動電圧の印加を終了（第１制御電極８２および第２制御電極８４の少なくとも一方をｏｆｆ）した時点で、バイアス電圧のみが印加された図３（Ｂ）のメニスカスの状態に戻る。
記録媒体Ｐ上におけるインクの１ドットは、通常、この１回（１パルス）の駆動電圧の印加によるものであり、従って、１ドットは、この１回の駆動電圧の印加によって曳糸から分断して吐出した複数のインク液滴Ｒによって形成される。
【００７３】
ここで、本発明の記録装置に用いられるインクについて説明する。
インクＱは、色材粒子をキャリア液に分散することにより得られる。キャリア液は、高い電気抵抗率（１０9Ω・ｃｍ以上、好ましくは１０10Ω・ｃｍ以上）を有する誘電性の液体（非水溶媒）であるのが好ましい。キャリア液の電気抵抗が低いと、制御電極に印加される駆動電圧により、キャリア液自身が電荷注入を受けて帯電してしまい、色材粒子の濃縮がおこらない。また、電気抵抗の低いキャリア液は、隣接する制御電極間での電気的導通を生じさせる懸念もあるため不向きである。
【００７４】
キャリア液として用いられる誘電性液体の比誘電率は、５以下が好ましく、より好ましくは４以下、さらに好ましくは３．５以下である。このような比誘電率の範囲とすることによって、キャリア液中の色材粒子に有効に電界が作用し、泳動が起こりやすくなる。
なお、このようなキャリア液の固有電気抵抗の上限値は１０16Ωｃｍ程度であるのが望ましく、比誘電率の下限値は１．９程度であるのが望ましい。キャリア液の電気抵抗が上記範囲であるのが望ましい理由は、電気抵抗が低くなると、低電界下でのインクの吐出が悪くなるからであり、比誘電率が上記範囲であるのが望ましい理由は、誘電率が高くなると溶媒の分極により電界が緩和され、これにより形成されたドットの色が薄くなったり、滲みを生じたりするからである。
【００７５】
キャリア液として用いられる誘電性液体としては、好ましくは直鎖状もしくは分岐状の脂肪族炭化水素、脂環式炭化水素、または芳香族炭化水素、および、これらの炭化水素のハロゲン置換体がある。例えば、へキサン、ヘプタン、オクタン、イソオクタン、デカン、イソデカン、デカリン、ノナン、ドデカン、イソドデカン、シクロヘキサン、シクロオクタン、シクロデカン、ベンゼン、トルエン、キシレン、メシチレン、アイソパーＣ、アイソパーＥ、アイソパーＧ、アイソパーＨ、アイソパーＬ、アイソパーＭ（アイソパー：エクソン社の商品名）、シェルゾール７０、シェルゾール７１（シェルゾール：シェルオイル社の商品名）、アムスコＯＭＳ、アムスコ４６０溶剤（アムスコ：スピリッツ社の商品名）、シリコーンオイル（例えば、信越シリコーン社製ＫＦ−９６Ｌ）等を単独あるいは混合して用いることができる。
【００７６】
このようなキャリア液に分散される色材粒子は、色材自身を色材粒子としてキャリア液中に分散させてもよいが、好ましくは、定着性を向上させるための分散樹脂粒子を含有させる。分散樹脂粒子を含有させる場合、顔料などは分散樹脂粒子の樹脂材料で被覆して樹脂被覆粒子とする方法などが一般的であり、染料などは分散樹脂粒子を着色して着色粒子とする方法などが一般的である。
【００７７】
色材としては、従来からインクジェットインク組成物、印刷用（油性）インキ組成物、あるいは静電写真用液体現像剤に用いられている顔料および染料であればどれでも使用可能である。
色材として用いる顔料としては、無機顔料、有機顔料を問わず、印刷の技術分野で一般に用いられているものを使用することができる。具体的には、例えば、カーボンブラック、カドミウムレッド、モリブデンレッド、クロムイエロー、カドミウムイエロー、チタンイエロー、酸化クロム、ビリジアン、コバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、ペリノン系顔料、チオインジゴ系顔料、キノフタロン系顔料、金属錯体顔料、等の従来公知の顔料を特に限定なく用いることができる。
色材として用いる染料としては、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料、金属フタロシアニン染料、等の油溶性染料が好ましく例示される。
【００７８】
さらに、分散樹脂粒子としては、例えば、ロジン類、ロジン変性フェノール樹脂、アルキッド樹脂、（メタ）アクリル系ポリマー、ポリウレタン、ポリエステル、ポリアミド、ポリエチレン、ポリブタジエン、ポリスチレン、ポリ酢酸ビニル、ポリビニールアルコールのアセタール変性物、ポリカーボネート等を挙げられる。
これらのうち、粒子形成の容易さの観点から、重量平均分子量が２，０００〜１，０００，０００の範囲内であり、かつ多分散度（重量平均分子量／数平均分子量）が、１．０〜５．０の範囲内であるポリマーが好ましい。さらに、前記定着の容易さの観点から、軟化点、ガラス転移点または、融点のいずれか１つが４０℃〜１２０℃の範囲内にあるポリマーが好ましい。
【００７９】
インクＱにおいて、色材粒子の含有量（色材粒子あるいはさらに分散樹脂粒子の合計含有量）は、インク全体に対して０．５〜３０重量％の範囲で含有されることが好ましく、より好ましくは１．５〜２５重量％、さらに好ましくは３〜２０重量％の範囲で含有されることが望ましい。色材粒子の含有量が少なくなると、印刷画像濃度が不足したり、インクＱと記録媒体Ｐ表面との親和性が得られ難くなって強固な画像が得られなくなったりするなどの問題が生じ易くなり、一方、含有量が多くなると均一な分散液が得られにくくなったり、インクジェットヘッド等でのインクＱの目詰まりが生じやすく、安定なインク吐出が得られにくいなどの問題が生じるからである。
【００８０】
また、キャリア液に分散された色材粒子の平均粒径は、０．１〜５μｍが好ましく、より好ましくは０．２〜１．５μｍであり、更に好ましくは０．４〜１．０μｍである。この粒径はＣＡＰＡ−５００（堀場製作所（株）製商品名）により求めたものである。
【００８１】
色材粒子をキャリア液に分散させた後（必要に応じて、分散剤を使用しても可）、荷電制御剤をキャリア液に添加することにより色材粒子を荷電して、荷電した色材粒子をキャリア液に分散してなるインクＱとする。なお、色材粒子の分散時には、必要に応じて、分散媒を添加してもよい。
荷電制御剤は、一例として、電子写真液体現像剤に用いられている各種のものが利用可能である。また、「最近の電子写真現像システムとトナー材料の開発・実用化」１３９〜１４８頁、電子写真学会編「電子写真技術の基礎と応用」４９７〜５０５頁（コロナ社、１９８８年刊）、原崎勇次「電子写真」１６（Ｎｏ．２）、４４頁（１９７７年）等に記載の各種の荷電制御剤も利用可能である。
【００８２】
なお、色材粒子は、制御電極に印加される駆動電圧と同極性であれば、正電荷および負電荷のいずれに荷電したものであってもよい。
また、色材粒子の荷電量は、好ましくは５〜２００μＣ／ｇ、より好ましくは１０〜１５０μＣ／ｇ、さらに好ましくは１５〜１００μＣ／ｇの範囲である。
【００８３】
また、荷電制御剤の添加によって誘電性溶媒の電気抵抗が変化することもあるため、下記に定義する分配率Ｐを、好ましくは５０％以上、より好ましくは６０％以上、さらに好ましくは７０％以上とする。
Ｐ＝１００×（σ１−σ２）／σ１
ここで、σ１は、インクＱの電気伝導度、σ２は、インクＱを遠心分離器にかけた上澄みの電気伝導度である。電気伝導度は、ＬＣＲメーター（安藤電気（株）社製ＡＧ−４３１１）および液体用電極（川口電機製作所（株）社製ＬＰ−０５型）を使用し、印加電圧５Ｖ、周波数１ｋＨｚの条件で測定を行った値である。また遠心分離は、小型高速冷却遠心機（トミー精工（株）社製ＳＲＸ−２０１）を使用し、回転速度１４５００ｒｐｍ、温度２３℃の条件で３０分間行った。
以上のようなインクＱを用いることによって、荷電粒子の泳動が起こりやすくなり、濃縮しやすくなる。
【００８４】
インクＱの電気伝導度は、１００〜３０００ｐＳ／ｃｍが好ましく、より好ましくは１５０〜２５００ｐＳ／ｃｍ、さらに好ましくは２００〜２０００ｐＳ／ｃｍである。以上のような電気伝導度の範囲とすることによって、制御電極に印加する電圧が極端に高くならず、隣接する記録電極間での電気的導通を生じさせる懸念もない。
また、インクＱの表面張力は、１５〜５０ｍＮ／ｍの範囲が好ましく、より好ましくは１５．５〜４５ｍＮ／ｍ、さらに好ましくは１６〜４０ｍＮ／ｍの範囲である。表面張力をこの範囲とすることによって、制御電極に印加する電圧が極端に高くならず、ヘッド周りにインクが漏れ広がり汚染することがない。
さらに、インクＱの粘度は０．５〜５ｍＰａ・ｓｅｃが好ましく、より好ましくは０．６〜３．０ｍＰａ・ｓｅｃ、さらに好ましくは０．７〜２．０ｍＰａ・ｓｅｃである。
【００８５】
このようなインクＱは、一例として、色材粒子をキャリア液に分散して粒子化し、かつ、荷電調整剤を分散媒に添加して、色材粒子に荷電を生じさせることで、調製できる。具体的な方法としては、以下の方法が例示される。
（１）色材あるいはさらに分散樹脂粒子をあらかじめ混合（混練）した後、必要に応じて分散剤を用いてキャリア液に分散し、荷電調整剤を加える方法。
（２）色材、あるいはさらに分散樹脂粒子および分散剤を、キャリア液に同時に添加して、分散し、荷電調整剤を加える方法。
（３）色材および荷電調整剤、あるいはさらに分散樹脂粒子および分散剤を、同時にキャリア液に添加して、分散する方法。
【００８６】
以上、本発明のインクジェット記録装置ついて、詳細に説明したが、本発明は、上記実施形態に限定はされず、本発明の要旨を逸脱しない範囲において、各種の改良や変更を行ってもよいのは、もちろんのことである。
【００８７】
例えば、以上の例は、本発明のインクジェット記録装置を、色材粒子（色材を含む荷電した粒子）をキャリア液に分散してなるインクを用いる濃縮タイプの静電式インクジェット記録装置に利用したものであるが、本発明は、これに限定はされず、非濃縮タイプの静電式インクジェット記録装置にも好適に利用可能である。
【００８８】
また、本発明の記録装置における吐出ヘッドは、静圧式の吐出ヘッドに限定されず、例えば、吐出ヘッド内に設けられたインク溜に、ポンプなどを用いて直接インクを供給するようなポンプ式の吐出ヘッドであってもよい。
【００８９】
以下、本発明の具体的実施例を挙げ、本発明について、より詳細に説明する。
【実施例】
【００９０】
図１に示す記録装置１０を用いて、洗浄に使用する洗浄液を変更して、それぞれの場合の洗浄後の循環経路の帯電量を測定した。ここで、記録装置１０の循環経路の配管には、フッ素ゴムチューブを用いた。
【００９１】
[実施例１]
洗浄液として、インク分散媒にアイソパーＧ（エクソン社製）を用い、電気伝導度をインクの電気伝導度と同等の８００ｐＳ／ｃｍになるように荷電制御剤としてオクタデセン−半マレイン酸オクタデシルアミド共重合体を０．０５ｗｔ％添加した液体を用いた。
【００９２】
ここで、循環経路の帯電量は、以下のようにして測定した。
前述した洗浄時の動作に基づき、洗浄液を循環中、第２供給流路３２および第１回収流路３４の表面をトレック社製の表面電位計ＭＯＤＥＬ３４４を用い、チューブの表面電位を測定した。
【００９３】
このようにして、循環経路の帯電量を測定した。測定した結果、循環経路の帯電量（チューブの表面電位）は、ほぼ０Ｖであった。また、洗浄後に再びインクを循環させて、画像記録を行ったところ、再現性の高い画像を形成することができた。
【００９４】
[実施例２]
本実施例では、洗浄液として、溶液の電気伝導度をインクの電気伝導度の７０％の５６０ｐＳ／ｃｍになるように荷電制御剤としてオクタデセン−半マレイン酸オクタデシルアミド共重合体を０．０４ｗｔ％添加した液体を用いた。
この洗浄液で、上記と同様にして循環経路を洗浄し、洗浄後の帯電量を測定した。その結果、循環経路の帯電量は、ほぼ０Ｖであった。また、洗浄後に再びインクを循環させて、画像記録を行ったところ、再現性の高い画像を形成することができた。
【００９５】
[実施例３]
本実施例では、洗浄液として、溶液の電気伝導度をインクの電気伝導度の３０％の２４０ｐＳ／ｃｍになる等に荷電制御剤としてオクタデセン−半マレイン酸オクタデシルアミド共重合体を０．０１ｗｔ％添加した液体を用いた。
この洗浄液で、上記と同様にして循環経路を洗浄し、洗浄後の帯電量を測定した。その結果、循環経路の帯電量は、３００〜８００Ｖであった。また、洗浄後に再びインクを循環させて、画像記録を行ったところ、上記実施例１および２に比べて、再現性は僅かに低かったものの十分実用可能な程度であった。
【００９６】
[比較例１]
本比較例では、洗浄液として、インク分散媒に荷電制御剤を添加しない溶液を用いた。ここで、この溶液の電気伝導度は、０ｐＳ／ｃｍであり、測定不可であった。
この洗浄液で、上記と同様にして循環経路を洗浄し、洗浄後の帯電量を測定した。その結果、循環経路の帯電量は、５００Ｖ〜１ｋＶであった。また、洗浄後に再びインクを循環させて、画像記録を行ったところ、インクの吐出が安定せず、上記実施例１および２に比べて、再現性は低かった。
【００９７】
以上の、洗浄液の荷電制御剤濃度と、洗浄液の電気伝導度と、測定結果と画像再現性とをまとめて、下記表１に示す。
【００９８】
【表１】
2006150925.tif 000003
【００９９】
表１に示すように、インク分散媒に荷電制御剤を添加した溶液を洗浄液として用いる本発明によれば、洗浄の際の循環経路および吐出ヘッドの帯電を防止することができ、静電力を用いてインク液滴の吐出を行うインクジェット記録において、洗浄後にインクを循環させる際も、インクの帯電量を安定して制御することができ、画像再現性の高い画像を形成することができる。
以上の結果より、本発明の効果は、明らかである。
【図面の簡単な説明】
【０１００】
【図１】本発明のインクジェット記録装置のインク循環系の一構成例の概念図である。
【図２】本発明のインクジェット記録装置のインク循環系の構成例の他の一例の概念図である。
【図３】図１に示すインクジェット記録装置の吐出ヘッドの概念図であり、（Ａ）は斜視図、（Ｂ）は断面図である。
【図４】（Ａ）は、図３（Ａ）において、ガード電極８８を含み、絶縁性基板８６と平行な面で切断した場合の平面図であり、（Ｂ）は、図３（Ａ）において、第１制御電極８２を含み、絶縁性基板８６と平行な面で切断した場合の平面図であり、(Ｃ）は、図３（Ａ）において、第２制御電極８４を含み、絶縁性基板８６と平行な面で切断した場合の平面図である。
【図５】図３に示す吐出ヘッドを説明するための概略斜視図である。
【符号の説明】
【０１０１】
１０、６８  （インクジェット）記録装置
１２  吐出ヘッド
１４  メインタンク
１６  供給サブタンク
１６ａ、１８ａ  連通口
１６ｂ、１８ｂ  オーバーフロー管
１８  回収サブタンク
２２  洗浄液タンク
２３  インク補充部
２４  コンク液補充タンク
２６  希釈液補充タンク
３０  第１供給流路
３２  第２供給流路
３４  第１回収流路
３６  第２回収流路
３７  第３回収流路
３８、４２  切換弁
４０  洗浄液供給流路
４４  排液流路
４６  開閉弁
４８  洗浄液回収流路
５２  共通回収流路
５４  インク循環ポンプ
５６  洗浄液循環ポンプ
６０、６４  補充用流路
６２、６６  補充制御用開閉弁
６９  荷電制御剤補充タンク
７２  ヘッド基板
７４  吐出基板
７６  インクガイド
７８  インク流路
８０  浮遊導電板
８２  第１制御電極
８４  第２制御電極
８６  絶縁性基板
８８  ガード電極
９０、９２、９４  絶縁層
９６  吐出口
９８  先端部分
【図１】
2006150925.tif 000004
【図２】
2006150925.tif 000005
【図３】
2006150925.tif 000006
【図４】
2006150925.tif 000007
【図５】
2006150925.tif 000008